(57)【要約】【課題】  正常につなぎ記録が可能となる編集点を容易に検出し、つなぎ記録によって連続的にデコード可能なストリームデータの生成を可能としたビデオ信号記録装置を提供すること。【解決手段】  つなぎ記録を行う場合、記録データ中の所定単位のデータに含まれる付加情報を検出して、前記付加情報に含まれる少なくともつなぎ記録が可能となる編集点の存在、フィールド並び順及びリピートフィールドの有無を示す情報に基づいてつなぎ記録するための編集点を決定して、決定された編集点に基づく位置からつなぎ記録を行う。【選択図】  図１２
2007104644.tif 000002
【特許請求の範囲】
【請求項１】
エラー訂正処理単位を基準としてストリームデータをユニット化したユニットデータをテープ状の記録媒体に記録するビデオ信号記録装置であって、
前記ユニットデータを前記記録媒体上に記録する記録手段と、
前記記録媒体上に記録された前記ユニットデータに含まれる付加情報を検出する検出手段と、
前記検出手段によって検出された付加情報を解析し、少なくともつなぎ記録が可能となる編集点の有無、フィールド並び順及びリピートフィールドの有無を示す情報を取得する解析手段と、
第１のストリームデータからなるユニットデータが記録された前記記録媒体上に、第２のストリームデータからなるユニットデータをつなぎ記録する動作を制御するつなぎ記録制御手段とを備え、
つなぎ記録を行う場合、前記つなぎ記録制御手段は、前記第１のストリームデータからなるユニットデータに関して前記解析手段によって取得された情報に基づいてつなぎ記録するための編集点を決定し、決定された編集点に基づく位置から前記第２のストリームデータが記録されるユニットデータを生成して前記記録手段によって記録することを特徴とするビデオ信号記録装置。
【請求項２】
前記つなぎ記録制御手段は、前記第１のストリームデータが６０フィールド／秒のインターレース形式又は３０フレーム／秒のプログレッシブ形式のときは、トップフィールドファーストであるフレームから編集可能となる編集点を前記つなぎ記録するための編集点に決定し、
前記第１のストリームデータが２４フレーム／秒のプログレッシブ形式のときは、トップフィールドファーストであり、かつリピートフィールドを有するフレームから編集可能となる編集点を前記つなぎ記録の開始点に決定することを特徴とする請求項１に記載のビデオ信号記録装置。
【請求項３】
前記つなぎ記録制御手段は、前記第１のストリームデータが６０フィールド／秒のインターレース形式又は３０フレーム／秒のプログレッシブ形式のときは、ボトムフィールドファーストであるフレームから編集可能となる編集点を前記つなぎ記録するための編集点に決定し、
前記第１のストリームデータが２４フレーム／秒のプログレッシブ形式のときは、ボトムフィールドファーストであり、かつリピートフィールドを有するフレームから編集可能となる編集点を前記つなぎ記録の開始点に決定することを特徴とする請求項１に記載のビデオ信号記録装置。
【請求項４】
前記ユニットデータは前記記録媒体に対する記録の最小単位であり、前記記録手段は前記ユニットデータを前記記録媒体上に連続的に形成される特定数のトラックに記録することを特徴とする請求項１に記載のビデオ信号記録装置。
【請求項５】
エラー訂正処理単位を基準としてストリームデータをユニット化したユニットデータをテープ状の記録媒体に記録するビデオ信号記録装置であって、
前記ユニットデータを前記記録媒体上に記録する記録手段と、
前記記録媒体上に記録されたユニットデータからつなぎ記録が可能となる編集点を検出する検出手段と、
前記検出手段によって検出された編集点に係るフィールド並び順及びリピートフィールドの有無に関する情報を解析する解析手段と、
前記検出手段によって検出された編集点に係るストリームデータが２４フレーム／秒のプログレッシブ形式であるか否かを判定する第１の判定手段と、
新たに記録するべきストリームデータが２４フレーム／秒のプログレッシブ形式であるか否かを判定する第２の判定手段と、
前記第１の判定手段の判定結果が２４フレーム／秒のプログレッシブ形式であり、かつ前記第２の判定手段の判定結果が２４フレーム／秒のプログレッシブ形式ではない場合、前記解析手段によって解析された内容に基づいて前記検出手段によって検出された編集点に基づく位置から前記新たに記録するべきストリームデータをつなぎ記録するか否かを決定するつなぎ記録制御手段とを備えたことを特徴とするビデオ信号記録装置。
【請求項６】
前記つなぎ記録制御手段は、前記第１の判定手段の判定結果が２４フレーム／秒のプログレッシブ形式であり、かつ前記第２の判定手段の判定結果が２４フレーム／秒のプログレッシブ形式ではない場合、前記解析手段によって前記フィールド並び順がトップフィールドファーストであり、かつリピートフィールドを有すると確定されたときは、前記検出手段によって検出された編集点から前記新たに記録するべきストリームデータをつなぎ記録することを特徴とする請求項５に記載のビデオ信号記録装置。
【請求項７】
前記つなぎ記録制御手段は、前記第１の判定手段の判定結果が２４フレーム／秒のプログレッシブ形式であり、かつ前記第２の判定手段の判定結果が２４フレーム／秒のプログレッシブ形式ではない場合、前記解析手段によって前記フィールド並び順がトップフィールドファーストであり、かつリピートフィールドを有すると確定されなかったときは、前記検出手段によって検出された編集点とは異なる編集点から前記新たに記録するべきストリームデータをつなぎ記録することを特徴とする請求項５に記載のビデオ信号記録装置。
【請求項８】
前記つなぎ記録制御手段は、前記第１の判定手段の判定結果が２４フレーム／秒のプログレッシブ形式であり、かつ前記第２の判定手段の判定結果が２４フレーム／秒のプログレッシブ形式ではない場合、前記解析手段によって前記フィールド並び順がボトムフィールドファーストであり、かつリピートフィールドを有すると確定されたときは、前記検出手段によって検出された編集点から前記新たに記録するべきストリームデータをつなぎ記録することを特徴とする請求項５に記載のビデオ信号記録装置。
【請求項９】
前記つなぎ記録制御手段は、前記第１の判定手段の判定結果が２４フレーム／秒のプログレッシブ形式であり、かつ前記第２の判定手段の判定結果が２４フレーム／秒のプログレッシブ形式ではない場合、前記解析手段によって前記フィールド並び順がボトムフィールドファーストであり、かつリピートフィールドを有すると確定されなかったときは、前記検出手段によって検出された編集点とは異なる編集点から前記新たに記録するべきストリームデータをつなぎ記録することを特徴とする請求項５に記載のビデオ信号記録装置。
【請求項１０】
前記つなぎ記録制御手段は、前記第１の判定手段の判定結果が２４フレーム／秒のプログレッシブ形式ではない場合、或いは、前記第１の判定手段の判定結果が２４フレーム／秒のプログレッシブ形式であり、かつ前記第２の判定手段の判定結果が２４フレーム／秒のプログレッシブ形式である場合、前記検出手段によって検出された編集点から前記新たに記録するべきストリームデータをつなぎ記録することを特徴とする請求項５に記載のビデオ信号記録装置。
【請求項１１】
前記ユニットデータは前記記録媒体に対する記録の最小単位であり、前記記録手段は前記ユニットデータを前記記録媒体上に連続的に形成される特定数のトラックに記録することを特徴とする請求項５に記載のビデオ信号記録装置。
【請求項１２】
エラー訂正処理単位を基準としてストリームデータをユニット化したユニットデータをテープ状の記録媒体に記録するビデオ信号記録装置であって、
前記ユニットデータを前記記録媒体上に記録する記録手段と、
前記記録媒体上に記録されたユニットデータからつなぎ記録が可能となる編集点を検出する検出手段と、
前記検出手段によって検出された編集点に係るフィールド並び順及びリピートフィールドの有無に関する情報を解析する解析手段と、
前記検出手段によって検出された編集点に係るストリームデータが２４フレーム／秒のプログレッシブ形式であるか否かを判定する第１の判定手段と、
新たに記録するべきストリームデータが２４フレーム／秒のプログレッシブ形式であるか否かを判定する第２の判定手段と、
前記第１の判定手段の判定結果が２４フレーム／秒のプログレッシブ形式であり、かつ前記第２の判定手段の判定結果が２４フレーム／秒のプログレッシブ形式ではない場合、前記解析手段によって解析された内容に基づいて前記検出手段によって検出された編集点をつなぎ記録のための編集点に確定するか否かを決定し、確定しない場合は次の編集点を検出するよう制御するつなぎ記録制御手段とを備えたことを特徴とするビデオ信号記録装置。
【請求項１３】
エラー訂正処理単位を基準としてストリームデータをユニット化したユニットデータをテープ状の記録媒体に記録するビデオ信号記録装置であって、
前記ユニットデータを前記記録媒体上に記録する記録手段と、
前記記録媒体上に記録されたユニットデータからつなぎ記録が可能となる編集点を検出する検出手段と、
前記検出手段によって検出された編集点に係るフィールド並び順及びリピートフィールドの有無に関する情報を解析する解析手段と、
前記検出手段によって検出された編集点に係るストリームデータが２４フレーム／秒のプログレッシブ形式であるか否かを判定する第１の判定手段と、
新たに記録するべきストリームデータが２４フレーム／秒のプログレッシブ形式であるか否かを判定する第２の判定手段と、
前記第１の判定手段の判定結果が２４フレーム／秒のプログレッシブ形式であり、かつ前記第２の判定手段の判定結果が２４フレーム／秒のプログレッシブ形式である場合、前記解析手段によって解析された内容に基づいて前記検出手段によって検出された編集点に基づく位置から前記新たに記録するべきストリームデータをつなぎ記録するか、無効データを挿入することによる不連続記録を行うかを決定するつなぎ記録制御手段とを備えたことを特徴とするビデオ信号記録装置。
【請求項１４】
前記不連続記録を行うときは、前記記録手段は前記無効データを示すＮ個のユニットデータを記録してから、前記新たに記録するべきストリームデータからなるユニットデータを記録することを特徴とする請求項１３に記載のビデオ信号記録装置。
【発明の詳細な説明】
【技術分野】
【０００１】
本発明は、圧縮符号化されたビデオ信号を記録媒体に記録するビデオ信号記録装置に関する。
【背景技術】
【０００２】
近年、ＨＤ（Ｈｉｇｈ  Ｄｅｆｉｎｉｔｉｏｎ）ビデオ信号を記録及び再生可能とした、カメラ一体型ＶＴＲ（Ｖｉｄｅｏ  Ｔａｐｅ  Ｒｅｃｏｒｄｅｒ）が製品化されている。前記ＨＤ対応のカメラ一体型ＶＴＲは、ビデオ信号の圧縮符号化技術としてＭＰＥＧ（Ｍｏｖｉｎｇ  Ｐｉｃｔｕｒｅ  Ｅｘｐｅｒｔｓ  Ｇｒｏｕｐ）−２を採用している。そして、圧縮符号化されたビットストリームを、誤り訂正符号生成単位（以下、ＥＣＣユニットとも称す）を記録の最小単位とする記録方式にて磁気テープ上に記録している。
【０００３】
ＨＤビデオ信号を磁気テープ上に記録するときのつなぎ記録方法に関して、以下の先行技術が知られている。既にデータが記録済みの磁気テープに新たなデータを再記録する際、記録の最小単位で誤り訂正符号を生成する為、再記録前に既に記録済みの磁気テープを一旦再生し、フレームの切り替え点を含む記録の最小単位を検出してから再記録を行うといった提案がなされている。（例えば、特許文献１参照。）
【特許文献１】特開２０００−１３４５６８号公報
【発明の開示】
【発明が解決しようとする課題】
【０００４】
上記従来技術は、既に記録済みの磁気テープ上より再生された記録の最小単位内のフレームの切り替え点を検出し、そのフレーム切り替え点より新たなデータを再記録するものである。しかしながら、上記従来技術の構成は、フレームの切り替え点を検出しているだけで、そのフレームの切り替え点における表示順の先頭フレームのフィールドを表す情報および、冗長な繰り返しフィールドの有無を示す情報を参照していない。これにより、次のような問題が生じる。
【０００５】
磁気テープに既に記録されているデータが、２４フレーム・プログレッシブ（以下、２４ｐと称す）である場合、
１：接続するフレームによっては、同一フィールドが連続し、フィールド項番エラーとなる。
２：編集点（編集ポイント）において通常では発生しないデコード時間が発生する。
【０００６】
次に、上記問題点を詳細に説明する。図２に、２４ｐのビデオ信号を磁気テープ上に記録したときの様子と、６０フィールド・インターレース（以下、６０ｉと称す）又は３０フレーム・プログレッシブ（以下、３０ｐと称す）のビデオ信号を磁気テープ上に記録したときの様子を示す。
【０００７】
ここで、フィルムは毎秒２４フレームであるのに対し、磁気テープ上に記録されるビデオ信号（ＮＴＳＣ方式）は毎秒３０フレーム（６０フィールド）であるため、図２に示す様に、２４ｐの記録の場合は２−３プルダウンによりフィールド数変換を行う。
【０００８】
２−３プルダウンとは、具体的には図３に示すように、１フレーム毎に冗長な繰り返しフィールド（以下、リピートフィールドと記述する）を挟むことで、２４ｐのフィールド数変換を行う手法である。このようにして２−３プルダウンされたビデオ信号の特徴は、１フレーム毎にリピートフィールドを挟むため、２フレーム毎にトップフィールドから開始されるフレームと、ボトムフィールドから開始されるフレームが入れ替わる。
【０００９】
一方、通常の６０ｉ又は３０ｐのビデオ信号を記録する場合は、図２に示した様に、通常トップフィールドから連続する２フィールドを１フレームとして符号化するため、全てのフレームがトップフィールドから始まるフレームとなる。
【００１０】
従って、２−３プルダウンされたビデオ信号をＭＰＥＧ符号化してテープ上に記録したところに６０ｉのビデオ信号をＭＰＥＧ符号化して新たなデータとして記録する場合、接続フレーム位置によってはトップフィールドが連続するフィールド項番エラーが起きる。図４Ａ、図４Ｂは、フィールド項番エラーが起きる例を示した図であり、図５はその詳細を図示したものである。このような場合は、つなぎ記録の編集点として不適切となる。
【００１１】
また、リピートフィールドに関する規定がないために、図４Ｃに示した例では、編集点において通常では発生しないデコード時間が発生する。図６は、図４Ｃの例を符号順に拡大して示した図である。図６から明らかなように、図４Ｃの例を符号順に並べ替えると、不正なデコード時間が発生する。
【００１２】
つまり、磁気テープに既に記録されているビデオ信号が２４ｐである場合、６０ｉのビデオ信号をつなぎ記録するときは、図４Ｄのみが正常に行える例となるのだが、従来の技術では正常なつなぎ記録が可能な編集点を検出することはできなかった。
【００１３】
そこで本発明は、従来技術の問題点を解決し、例えば２４ｐのビデオ信号が記録されたものであっても、正常につなぎ記録が可能となる編集点を容易に検出し、つなぎ記録によって連続的にデコード可能なストリームデータの生成を可能としたビデオ信号記録装置を提供することを目的とする。
【００１４】
また本発明の他の目的は、編集点の検出結果に応じたつなぎ記録を行うビデオ信号記録装置を提供することである。
【課題を解決するための手段】
【００１５】
上述の目的は、エラー訂正処理単位を基準としてストリームデータをユニット化したユニットデータをテープ状の記録媒体に記録するビデオ信号記録装置であって、前記ユニットデータを前記記録媒体上に記録する記録手段と、前記記録媒体上に記録された前記ユニットデータに含まれる付加情報を検出する検出手段と、前記検出手段によって検出された付加情報を解析し、少なくともつなぎ記録が可能となる編集点の有無、フィールド並び順及びリピートフィールドの有無を示す情報を取得する解析手段と、第１のストリームデータからなるユニットデータが記録された前記記録媒体上に、第２のストリームデータからなるユニットデータをつなぎ記録する動作を制御するつなぎ記録制御手段とを備え、つなぎ記録を行う場合、前記つなぎ記録制御手段は、前記第１のストリームデータからなるユニットデータに関して前記解析手段によって取得された情報に基づいてつなぎ記録するための編集点を決定し、決定された編集点に基づく位置から前記第２のストリームデータが記録されるユニットデータを生成して前記記録手段によって記録することを特徴とするビデオ信号記録装置によって達成される。
【００１６】
また、上述の目的は、エラー訂正処理単位を基準としてストリームデータをユニット化したユニットデータをテープ状の記録媒体に記録するビデオ信号記録装置であって、前記ユニットデータを前記記録媒体上に記録する記録手段と、前記記録媒体上に記録されたユニットデータからつなぎ記録が可能となる編集点を検出する検出手段と、前記検出手段によって検出された編集点に係るフィールド並び順及びリピートフィールドの有無に関する情報を解析する解析手段と、前記検出手段によって検出された編集点に係るストリームデータが２４フレーム／秒のプログレッシブ形式であるか否かを判定する第１の判定手段と、新たに記録するべきストリームデータが２４フレーム／秒のプログレッシブ形式であるか否かを判定する第２の判定手段と、前記第１の判定手段の判定結果が２４フレーム／秒のプログレッシブ形式であり、かつ前記第２の判定手段の判定結果が２４フレーム／秒のプログレッシブ形式ではない場合、前記解析手段によって解析された内容に基づいて前記検出手段によって検出された編集点に基づく位置から前記新たに記録するべきストリームデータをつなぎ記録するか否かを決定するつなぎ記録制御手段とを備えたことを特徴とするビデオ信号記録装置によっても達成される。
【００１７】
また、上述の目的は、エラー訂正処理単位を基準としてストリームデータをユニット化したユニットデータをテープ状の記録媒体に記録するビデオ信号記録装置であって、前記ユニットデータを前記記録媒体上に記録する記録手段と、前記記録媒体上に記録されたユニットデータからつなぎ記録が可能となる編集点を検出する検出手段と、前記検出手段によって検出された編集点に係るフィールド並び順及びリピートフィールドの有無に関する情報を解析する解析手段と、前記検出手段によって検出された編集点に係るストリームデータが２４フレーム／秒のプログレッシブ形式であるか否かを判定する第１の判定手段と、新たに記録するべきストリームデータが２４フレーム／秒のプログレッシブ形式であるか否かを判定する第２の判定手段と、前記第１の判定手段の判定結果が２４フレーム／秒のプログレッシブ形式であり、かつ前記第２の判定手段の判定結果が２４フレーム／秒のプログレッシブ形式ではない場合、前記解析手段によって解析された内容に基づいて前記検出手段によって検出された編集点をつなぎ記録のための編集点に確定するか否かを決定し、確定しない場合は次の編集点を検出するよう制御するつなぎ記録制御手段とを備えたことを特徴とするビデオ信号記録装置によっても達成される。
【００１８】
さらに、上述の目的は、エラー訂正処理単位を基準としてストリームデータをユニット化したユニットデータをテープ状の記録媒体に記録するビデオ信号記録装置であって、前記ユニットデータを前記記録媒体上に記録する記録手段と、前記記録媒体上に記録されたユニットデータからつなぎ記録が可能となる編集点を検出する検出手段と、前記検出手段によって検出された編集点に係るフィールド並び順及びリピートフィールドの有無に関する情報を解析する解析手段と、前記検出手段によって検出された編集点に係るストリームデータが２４フレーム／秒のプログレッシブ形式であるか否かを判定する第１の判定手段と、新たに記録するべきストリームデータが２４フレーム／秒のプログレッシブ形式であるか否かを判定する第２の判定手段と、前記第１の判定手段の判定結果が２４フレーム／秒のプログレッシブ形式であり、かつ前記第２の判定手段の判定結果が２４フレーム／秒のプログレッシブ形式である場合、前記解析手段によって解析された内容に基づいて前記検出手段によって検出された編集点に基づく位置から前記新たに記録するべきストリームデータをつなぎ記録するか、無効データを挿入することによる不連続記録を行うかを決定するつなぎ記録制御手段とを備えたことを特徴とするビデオ信号記録装置によっても達成される。
【発明の効果】
【００１９】
本発明によれば、つなぎ記録時にフィールド項番エラーやフィールド抜けのない、連続的なストリームデータを生成することができる。さらに、編集点において、通常発生しないようなデコード時間の発生を抑止でき、一般のデコーダによるデコードも保証可能な連続的なストリームデータを生成することができる。
【発明を実施するための最良の形態】
【００２０】
以下、図面を参照しながら本発明の好適な実施形態について詳細に説明する。
【実施例１】
【００２１】
図１は、本発明に係るビデオ信号記録装置の構成例を示すブロック図である。このような記録装置は、カメラ一体型ビデオレコーダ等に適用可能である。図１において、１００はＳＤＲＡＭ等のメモリ部であり、複数種のデータを保存可能な構成となっている。１０１はビデオ信号を入出力するＶＩＤＥＯ  ＩＮ／ＯＵＴ端子、１０２は音声信号を入出力するＡＵＤＩＯ  ＩＮ／ＯＵＴ端子、１０３はビデオ信号及び音声信号を圧縮或いは伸長処理するＭＰＥＧコーデック（符号化・復号化回路）である。以降、説明の簡略化のため、ビデオ信号は音声信号を含むものとして説明する。
【００２２】
１０５はＭＰＥＧ圧縮されたビデオ信号（ＭＰＥＧストリーム）を蓄積するストリームバッファであり、１０４は該ストリームバッファ１０５の書き込み／読出しを行うバッファ管理部である。バッファ管理部１０４は、ストリームバッファ１０５とＥＣＣワークメモリ１０７間でＭＰＥＧストリームの転送を行う。１０７はＥＣＣワークメモリであり、１０６はＥＣＣワークメモリ１０７を用いてＭＰＥＧストリームに対するエラー訂正処理を行うエラー訂正部である。
【００２３】
１０８は編集点（編集ポイント）を含むＥＣＣユニットのデータを保存するキャプチャメモリである。１０９はＥＣＣユニット単位のＭＰＥＧストリームからなる記録データを磁気テープに記録／再生する際に、アナログ信号の変調／復調を行う変調／復調部である。１１０は操作部（不図示）からの指示に応じて各ブロックの動作を制御するコントローラ（制御部）、１１１はコントローラ１１０からの制御に応じて磁気テープ１１３を駆動するキャプスタンモータである。１１２は記録／再生用ヘッド、１１３は記録媒体となる磁気テープである。
【００２４】
図１を使用して、本記録装置が磁気テープ１１３上に記録されたビデオ信号を再生する動作について説明する。
【００２５】
コントローラ１１０の再生動作制御に応じて、キャプスタンモータ１１１を制御して磁気テープ１１３を走行させる。そして走行する磁気テープ１１３から、回転ドラム上に取り付けられた記録再生用ヘッド１１２にて、記録されたアナログ信号を取り出す。取り出されたアナログ信号は、変調／復調部１０９にて復調され元のデジタルデータに変換されて、ＥＣＣワークメモリ１０７に蓄積される。
【００２６】
ＥＣＣワークメモリ１０７に蓄積されたデータが、記録の最小単位すなわちＥＣＣユニット分になるとエラー訂正部１０６はＥＣＣワークメモリ１０７よりＥＣＣユニット分のデータを取得し、エラー訂正処理を行い、ＥＣＣワークメモリ１０７に書き戻す処理を行う。バッファ管理部１０４は、エラー訂正部１０６によってエラー訂正処理が行われてＥＣＣワークメモリ１０７に書き戻されたＥＣＣユニット分のデータを、ストリームバッファ１０５へ転送する。このような処理を再生される複数ＥＣＣユニット分のデータに渡って順次繰り返す。
【００２７】
次に、ストリームバッファ１０５に蓄積されたデータすなわちＭＰＥＧストリームを、ＭＰＥＧコーデック１０３が読出してデコードして、ＶＩＤＥＯ  ＩＮ／ＯＵＴ端子１０１及びＡＵＤＩＯ  ＩＮ／ＯＵＴ端子１０２に出力する。
【００２８】
次に記録動作を説明する。
【００２９】
コントローラ１１０の動作制御に応じて、ＶＩＤＥＯ  ＩＮ／ＯＵＴ端子１０１、ＡＵＤＩＯ  ＩＮ／ＯＵＴ端子１０２から入力されるビデオ及び音声信号をＭＰＥＧコーデック１０３がエンコードして、ＭＰＥＧストリームをストリームバッファ１０５へ蓄積する。
【００３０】
バッファ管理部１０４は、ストリームバッファ１０５にＥＣＣユニット分のデータが蓄積されると、そのＥＣＣユニット分のデータをＥＣＣワークメモリ１０７へ転送する。ＥＣＣワークメモリ１０７にＥＣＣユニット分のデータが蓄積されると、エラー訂正部１０６はＥＣＣワークメモリ１０７よりＥＣＣユニット分のデータを取得し、エラー訂正のための処理を行い、再度ＥＣＣワークメモリ１０７へ書き戻す。このような処理を記録されるべき複数ＥＣＣユニット分のデータに渡って順次繰り返す。
【００３１】
エラー訂正部１０６によって処理されて、ＥＣＣワークメモリ１０７に蓄積されたデータは、変調復調部１０９によって読み出され、記録用のアナログ信号に変調されて、記録再生用ヘッド１１２によって磁気テープ１１３上に記録される。
【００３２】
図７は、本記録装置によって記録された磁気テープ１１３上の記録パターンの例である。
【００３３】
図７の例では、記録の最小単位は１６トラックとなっており、この１６トラックからなる記録の最小単位すなわちＥＣＣユニット分のデータが連続して磁気テープ上に記録されている。各ＥＣＣユニットの先頭部分には付加情報が存在する。また、図７に記した編集点とは、ここから新たな記録を開始出来るポイントを示している。
【００３４】
図８は、磁気テープ上に記録されるＥＣＣユニット（１６トラックのデータ）の構造を示した図である。テープ上に記録されるデータは、記録の最小単位である１６トラック単位で図８に示す様なアウターパリティ（ＯｕｔｅｒＰａｒｉｔｙ）がつけられている。ＥＣＣユニット単位でエラー訂正を行う事により、ＥＣＣユニット単位でエラーの有無を判断する。よってこのＥＣＣユニットが記録の最小単位となる。
【００３５】
図８のようにＥＣＣユニット内にはビデオデータ（Ｖｉｄｅｏ  Ｄａｔａ）、オーディオデータ（Ａｕｄｉｏ  Ｄａｔａ）及びサーチデータ（Ｓｅａｒｃｈ  Ｄａｔａ）が所定の規則に従って格納される。また、ＥＣＣユニット内には、このＥＣＣユニット内の各種情報を示す付加情報（システムデータ）が用意されている。システムデータ内には、このＥＣＣユニット内の編集点の有無及び、編集点のＥＣＣユニット内における位置（トラックナンバー及び、後述のシンクブロックナンバー）を示す情報が書き込まれている。更に、編集点以降に記録されているピクチャーに関連する情報として、ＤＴＳ（Ｄｅｃｏｄｅ  Ｔｉｍｅ  Ｓｔａｍｐ）、１つのピクチャーが復号のためにＶＢＶバッファ内にとどまる時間を示すＶＢＶ＿Ｄｅｌａｙ値、２４ｐや３０ｐといった符号化形式の情報、表示順の先頭フレームがトップフィールドファーストかボトムフィールドファーストであるかを示すフィールドパリティ、及び、表示順の先頭フレームの冗長なリピートフィールドの有無を示す情報が前記システムデータに書き込まれている。なお、上記フィールドパリティとは、すなわち、編集点以降の先頭フレームのフィールド並び順を示す情報である。
【００３６】
図９は、図８における各トラック内のデータの構成を示した図である。トラック内は、０〜１３８のシンクブロック（ＳｙｎｃＢｌｏｃｋ）で構成されている。各シンクブロックはシンク（ＳＹＮＣ），ＩＤ０，ＩＤ１，ＩＤ２とアウターパリティ（ＯｕｔｅｒＰａｒｉｔｙ）またはデータ（ＤＡＴＡ）、そして最後にインナーパリティ（ＩｎｎｅｒＰａｒｉｔｙ）で構成されている。そして、ＩＤ０〜２の中には、ＥＣＣユニット内のトラック位置を示すトラックペアナンバー、及び、トラック内のシンクブロック位置を示すシンクブロックナンバーが含まれる。エラー訂正部１０６は、このトラック内にあるアウターパリティ、インナーパリティを用いてＥＣＣユニット単位でエラー検出および訂正を行う。
【００３７】
図１０は、本実施形態の記録装置によって上述した記録動作に基づいて、６０ｉ又は３０ｐのビデオ信号を入力して記録したときの例と、２−３プルダウンされた２４ｐのビデオ信号を入力して記録したときの例を示す図である。
【００３８】
図１０の例では、６０ｉ又は３０ｐの記録の場合、１５フレームを１ＧＯＰ（Ｇｒｏｕｐ  Ｏｆ  Ｐｉｃｔｕｒｅｓ）としたＭＰＥＧストリームとなり、３フレーム毎に編集点が設定される。一方、２４ｐの場合は、２−３プルダウンによるフィールド数変換がなされ、１フレーム毎にリピートフィールドが挿入されている。従って、元の１２フレームを１５フレームに変換して１ＧＯＰとしたストリームデータとなり、図１０に示したとおりの間隔で編集点が設定される。
【００３９】
次に、本実施形態の記録装置で、記録済みの磁気テープに、新たな記録データをつなぎ記録する動作について図１及び図１１を用いて説明する。なお図１１のフローチャート図は、コントローラ１１０が行う動作制御のシーケンスを図示したものである。
【００４０】
つなぎ記録のための動作が開始されると、磁気テープ１１３に既に記録されている記録データから編集点を探すため、上述した再生動作を行う（ステップＳ１１０１）。
【００４１】
次に、コントローラ１１０はエラー訂正部１０６によってエラー訂正された後のデータをＥＣＣワークメモリ１０７から取得し、再生された記録の最小単位（ＥＣＣユニット）ごとに存在する付加情報を解析する（ステップＳ１１０２）。そして、ＥＣＣユニットの付加情報を解析した結果、編集点有りの場合はＳ１１０４へ進み、編集点無しの場合はＳ１１０２へ戻る（ステップＳ１１０３）。なお、Ｓ１１０２に戻った場合は、次に再生される記録の最小単位（ＥＣＣユニット）に対して同様のフローを繰り返すことになる。
【００４２】
次に、編集点が有った場合、再生動作を停止する（ステップＳ１１０４）。そして、磁気テープ１１３を動かして、上記編集点が含まれる記録の最小単位（ＥＣＣユニット）の再生スタート位置へ戻す（ステップＳ１１０５）。
【００４３】
次に、再び再生動作を行い、上記編集点が含まれるＥＣＣユニット（１６トラック分のデータ）を再生して、そのデータをＥＣＣワークメモリ１０７からキャプチャメモリ１０８へ転送して、そこで保存する（ステップＳ１１０６）。そして、コントローラ１１０は、キャプチャメモリ１０８に保持したデータから、ＥＣＣユニットの付加情報を読み出す。さらにコントローラ１１０は、ＥＣＣユニット内の編集点のトラックナンバー、シンクブロックナンバー、ＤＴＳ、ＰＴＳ、ＶＢＶバッファ量、表示順の先頭フレームのフィールドパリティ、表示順の先頭フレームのリピートフィールドの有無、及び、符号化形式に係るデータを取得する（ステップＳ１１０７）。
【００４４】
なお、ここまでのステップは、記録済みの磁気テープを本記録装置へ装着した際、或いは電源ＯＮによる本記録装置のシステム起動時等、実際の記録開始指示がなされる以前に自動で行っても良い。
【００４５】
次に、記録指示に応じて記録動作を開始する（ステップＳ１１０８）。次に、キャプチャメモリ１０８に保持したＥＣＣユニットデータを、ＥＣＣワークメモリ１０７へ転送する（ステップＳ１１０９）。
【００４６】
次に、上述した記録動作と同様に、つなぎ記録するために入力されるビデオ信号を、ＭＰＥＧコーデック１０３でエンコードして、ストリームバッファ１０５へ蓄積する。さらにバッファ管理部１０４は、ストリームバッファ１０５に蓄積されたストリームデータを読出して、ＥＣＣワークメモリ１０７内のＳ１１０６で保持したＥＣＣユニット内のトラックナンバー、シンクブロックナンバーの位置から続けて書き込む。つまり、ＥＣＣワークメモリ１０７内で、ＥＣＣユニットの編集点から新たなストリームデータを記録開始する（ステップＳ１１１０）。その後記録データは、エラー訂正部１０６でエラー訂正のための処理が行われ、変調／復調部１０９で変調された後、記録再生用ヘッド１１２により磁気テープ１１３上の記録済データに引き続いてつなぎ記録される。
【００４７】
また、図１１のフローチャートを図１２のように変形して本発明を実現することもできる。以下、図１及び図１２を用いてその動作を説明する。なお、図１２のフローチャート図は、コントローラ１１０が行う動作制御のシーケンスを図示したものである。
【００４８】
つなぎ記録のための動作が開始されると、磁気テープ１１３に既に記録されている記録データから編集点を探すため、上述した再生動作を行う（ステップＳ１２０１）。
【００４９】
次に、コントローラ１１０はエラー訂正部１０６によってエラー訂正された後のデータをＥＣＣワークメモリ１０７から取得し、再生された記録の最小単位（ＥＣＣユニット）ごとに存在する付加情報を解析する（ステップＳ１２０２）。そして、ＥＣＣユニットの付加情報を解析した結果、編集点有りの場合はＳ１２０４へ進み、編集点無しの場合はＳ１２０２へ戻る（ステップＳ１２０３）。
【００５０】
次に、上記ＥＣＣユニットの付加情報を解析した結果、編集点以降の表示順の先頭フレームがトップフィールドファ−ストの場合はＳ１２０５へ進み、そうでない場合は１２０２へ戻る（ステップＳ１２０４）。
【００５１】
次に、上記ＥＣＣユニットの付加情報を解析した結果、その編集点のストリームデータが２４ｐ記録である場合はＳ１２０６へ進み、そうでない場合（６０ｉ又は３０ｐのとき）はＳ１２０７へ進む（ステップＳ１２０５）。
【００５２】
さらに、上記ＥＣＣユニットの付加情報を解析した結果、編集点以降の表示順の先頭フレームに対するリピートフィールドの有無を示す情報がリピートフィールド有となっている場合はＳ１２０７へ進み、そうでない場合はＳ１２０２へ戻る（ステップＳ１２０６）。なお、再度Ｓ１２０２に戻った場合は、次に再生される記録の最小単位（ＥＣＣユニット）に対して同様のフローを繰り返すことになる。
【００５３】
次に、再生動作を停止する（ステップＳ１２０７）。そして、磁気テープ１１３を動かして、上記編集点が含まれる記録の最小単位（ＥＣＣユニット）の再生スタート位置へ戻す（ステップＳ１２０８）。
【００５４】
次に、再び再生動作を行い、上記編集点が含まれるＥＣＣユニット（１６トラック分のデータ）を再生して、そのデータをＥＣＣワークメモリ１０７からキャプチャメモリ１０８へ転送して、そこで保存する（ステップＳ１２０９）。そして、コントローラ１１０は、キャプチャメモリ１０８に保持したデータから、ＥＣＣユニットの付加情報を読み出す。さらにコントローラ１１０は、ＥＣＣユニット内の編集点のトラックナンバー、シンクブロックナンバー、ＤＴＳ、ＰＴＳ、及び、ＶＢＶバッファ量に係るデータを取得する（ステップＳ１２１０）。
【００５５】
なお、ここまでのステップは、記録済みの磁気テープを本記録装置へ装着した際、或いは電源ＯＮによる本記録装置のシステム起動時等、実際の記録開始指示がなされる以前に自動で行っても良い。
【００５６】
次に、記録指示に応じて記録動作を開始する（ステップＳ１２１１）。次に、キャプチャメモリ１０８に保持したＥＣＣユニットデータを、ＥＣＣワークメモリ１０７へ転送する（ステップＳ１２１２）。
【００５７】
次に、上述した記録動作と同様に、つなぎ記録するために入力されるビデオ信号を、ＭＰＥＧコーデック１０３でエンコードして、ストリームバッファ１０５へ蓄積する。さらにバッファ管理部１０４は、ストリームバッファ１０５に蓄積されたデータを読出して、ＥＣＣワークメモリ１０７内のＳ１２０９で保持したＥＣＣユニット内のトラックナンバー、シンクブロックナンバーの位置から続けて書き込む。つまり、ＥＣＣワークメモリ１０７内で、ＥＣＣユニットの編集点から新たなストリームデータを記録開始する（ステップＳ１２１３）。その後記録データは、エラー訂正部１０６でエラー訂正のための処理が行われ、変調／復調部１０９で変調された後、記録再生用ヘッド１１２により磁気テープ１１３上の記録済データに引き続いてつなぎ記録される。
【００５８】
このように、編集点が含まれるＥＣＣユニットから、編集点以降の表示順の先頭フレームのフィールドパリティ及びリピートフィールドの有無と、その符号化形式を先に解析する。これにより、編集点の符号化形式が２４ｐの場合は、表示順の先頭フレームがトップフィールドファーストであり、かつ冗長なリピートフィールドの有無を示す情報が有りを示す場合のみ、つなぎ記録を開始することができる。こうして、図４Ｄに示した例のように正常なつなぎ記録を行うことができる。
【００５９】
以上の様に、編集点を磁気テープに記録されている符号化形式によって限定することにより、つなぎ記録時にフィールド項番エラーやフィールド抜けのない、連続的なストリームデータを生成できる。さらに、編集点において、通常発生しないようなデコード時間の発生を抑止でき、一般のデコーダによるデコードも保証可能な連続的なストリームデータを生成することができる。
【００６０】
なお、上述した実施形態では、６０ｉ又は３０ｐの符号化形式の場合は、記録開始時の圧縮符号化ストリームの表示順の先頭フレームはトップフィールドファーストであるとし、２４ｐの符号化形式の場合は、記録開始時の圧縮符号化ストリームの表示順の先頭フレームはトップフィールドファーストであり、記録開始時のリピートフィールドが有りであることとして記述した。しかしながら、本発明はこのパターンに限定されるものではなく、記録開始時の圧縮符号化ストリームの表示順の先頭フレームがボトムフィールドファーストであっても、同様に実現可能である。この場合は、図１２のＳ１２０４でボトムフィールドファーストを検出するように変形すればよい。
【実施例２】
【００６１】
次に本発明の第２の実施形態について説明する。本実施形態となるビデオ信号記録装置の構成は、図１を用いて先述した内容と同様であるので繰り返しとなる説明は省略する。
【００６２】
続いて、本実施形態において、記録済みの磁気テープに、新たな記録データをつなぎ記録する動作について図１、図１３及び図１４を用いて説明する。なお図１３及び図１４のフローチャート図は、コントローラ１１０が行う動作制御のシーケンスを図示したものである。
【００６３】
本実施形態では、ストリームデータの連続性を保って、既存の映像につなげて新しい映像を記録できる。図１３は、磁気テープ１１３の編集点を探すフローチャートであり、図１４は、記録開始指示に応じてスタートする記録処理のフローチャートである。
【００６４】
図１３において、編集点を探索するために、磁気テープ１１３の記録データを再生する（ステップＳ１３０１）。
【００６５】
次に、コントローラ１１０はエラー訂正部１０６によってエラー訂正された後のデータをＥＣＣワークメモリ１０７から取得し、再生された記録の最小単位（ＥＣＣユニット）ごとに存在する付加情報を解析する（ステップＳ１３０２）。そして、ＥＣＣユニットの付加情報を解析した結果、編集点有りの場合はＳ１３０４へ進み、編集点無しの場合はＳ１３０２へ戻る（ステップＳ１３０３）。なお、Ｓ１３０２に戻った場合は、次に再生される記録の最小単位（ＥＣＣユニット）に対して同様のフローを繰り返すことになる。
【００６６】
次に、編集点が有った場合、再生動作を停止する（ステップＳ１３０４）。そして、磁気テープ１１３を動かして、上記編集点が含まれる記録の最小単位（ＥＣＣユニット）の再生スタート位置へ戻す（ステップＳ１３０５）。
【００６７】
次に、再び再生動作を行い、上記編集点が含まれるＥＣＣユニット（１６トラック分のデータ）を再生して、そのデータをＥＣＣワークメモリ１０７からキャプチャメモリ１０８へ転送して、そこで保存する（ステップＳ１３０６）。そして、コントローラ１１０は、キャプチャメモリ１０８に保持したデータから、ＥＣＣユニットの付加情報を読み出す。さらにコントローラ１１０は、ＥＣＣユニット内の編集点のトラックナンバー、シンクブロックナンバー、ＤＴＳ、ＰＴＳ、ＶＢＶバッファ量、表示順の先頭フレームのフィールドパリティ、表示順の先頭フレームのリピートフィールドの有無、及び、符号化形式に係るデータを取得する（ステップＳ１３０７）。
【００６８】
なお、以上の処理は、記録済みの磁気テープを本記録装置へ装着した際、或いは電源ＯＮによる本記録装置のシステム起動時等、実際の記録開始指示がなされる以前に自動で行っても良い。
【００６９】
次に、図１４において、記録開始の指示があると、Ｓ１３０７で取得した編集点の符号化形式が２４ｐであるか否かを判別する（ステップＳ１４０１）。２４ｐであれば（Ｓ１４０１でＹＥＳ）、新たに記録するストリームデータの符号化形式が２４ｐであるか否かを判別する（ステップＳ１４０２）。なお、本実施形態では、２４ｐでなければ、６０ｉ又は３０ｐであるとする。
【００７０】
編集点の符号化形式が２４ｐではないか（Ｓ１４０１でＮＯ）、又は、新たに記録するストリームデータの符号化形式が２４ｐである場合（Ｓ１４０２でＹＥＳ）、Ｓ１３０６でキャプチャメモリ１０８に保持されたＥＣＣユニットデータがＥＣＣワークメモリ１０７に転送される（ステップＳ１４１５）。
【００７１】
次に、上述した記録動作と同様に、つなぎ記録するために入力されるビデオ信号を、ＭＰＥＧコーデック１０３でエンコードして、ストリームバッファ１０５へ蓄積する。さらにバッファ管理部１０４は、ストリームバッファ１０５に蓄積されたデータを読出して、ＥＣＣワークメモリ１０７内のＳ１３０６で保持したＥＣＣユニット内のトラックナンバー、シンクブロックナンバーの位置から続けて書き込む。つまり、ＥＣＣワークメモリ１０７内で、ＥＣＣユニットの編集点から新たなストリームデータを記録開始する（ステップＳ１４１６）。その後記録データは、エラー訂正部１０６でエラー訂正のための処理が行われ、変調／復調部１０９で変調された後、記録再生用ヘッド１１２により磁気テープ１１３上の記録済データに引き続いてつなぎ記録される。
【００７２】
また、新たに記録するストリームデータの符号化形式が２４ｐではない場合（Ｓ１４０２でＮＯ）、すなわち、新たに記録する映像の符号化形式が編集点の符号化形式とは異なる６０ｉ又は３０ｐの場合、Ｓ１３０７で取得した編集点以降の表示順の先頭フレームのフィールドパリティから、トップフィールドファーストであるか否かを判別する（ステップＳ１４０３）。トップフィールドファーストであれば（Ｓ１４０３でＹＥＳ）、Ｓ１３０７で取得した付加情報から編集点以降の表示順の先頭フレームにリピートフィールドがあるか否かを判別する（ステップＳ１４０４）。リピートフィールドがある場合は（Ｓ１４０４でＹＥＳ）、先に説明したようにＳ１４１５及びＳ１４１６の処理を実行する。
【００７３】
トップフィールドファーストではない場合（Ｓ１４０３でＮＯ）、又は、トップフィールドファーストであり（Ｓ１４０３でＹＥＳ）且つリピートフィールドがない場合（Ｓ１４０４でＮＯ）、磁気テープ１１３の再生を再開する（ステップＳ１４０５）。そして、エラー訂正部１０６によってエラー訂正された後のデータをＥＣＣワークメモリ１０７から取得し、再生された記録の最小単位（ＥＣＣユニット）ごとに存在する付加情報を解析する（ステップＳ１４０６）。
【００７４】
Ｓ１４０６でＥＣＣユニットの付加情報を解析した結果、編集点有りの場合はＳ１４０８へ進み、編集点無しの場合はＳ１４０６へ戻る（ステップＳ１４０７）。
【００７５】
次に、Ｓ１４０６でＥＣＣユニットの付加情報を解析した結果、編集点が２４ｐの場合はＳ１４０９へ進み、そうでない場合は１４１１へ進む（ステップＳ１４０８）。
【００７６】
次に、Ｓ１４０６でＥＣＣユニットの付加情報を解析した結果、編集点以降の表示順の先頭フレームのフィールドパリティがトップフィールドファ−ストの場合はＳ１４１０へ進み、そうでない場合は１４０６へ戻る（ステップＳ１４０９）。
【００７７】
さらにＳ１４０６でＥＣＣユニットの付加情報を解析した結果、編集点以降の表示順の先頭フレームのリピートフィールドの有無を示す情報がリピートフィールド有となっている場合はＳ１４１１へ進み、そうでない場合はＳ１４０６へ戻る（ステップＳ１４１０）。なお、再度Ｓ１４０６に戻った場合は、次に再生される記録の最小単位（ＥＣＣユニット）に対して同様のフローを繰り返すことになる。
【００７８】
次に、再生動作を停止する（ステップＳ１４１１）。そして、磁気テープ１１３を動かして、Ｓ１４０６で解析された編集点が含まれる記録の最小単位（ＥＣＣユニット）の再生スタート位置へ戻す（ステップＳ１４１２）。
【００７９】
次に、再び再生動作を行い、上記編集点が含まれるＥＣＣユニット（１６トラック分のデータ）を再生して、そのデータをＥＣＣワークメモリ１０７からキャプチャメモリ１０８へ転送して、そこで保存する（ステップＳ１４１３）。そして、コントローラ１１０は、キャプチャメモリ１０８に保持したデータから、ＥＣＣユニットの付加情報を読み出す。さらにコントローラ１１０はＥＣＣユニット内の編集点のトラックナンバー、シンクブロックナンバー、ＤＴＳ、ＰＴＳ、ＶＢＶバッファ量、表示順の先頭フレームのフィールドパリティ、表示順の先頭フレームのリピートフィールドの有無、及び、符号化形式に係るデータを取得する（ステップＳ１４１４）。
【００８０】
Ｓ１４１４の後、Ｓ１４１３でキャプチャメモリ１０８に保持されたデジタルデータがＥＣＣワークメモリ１０７に転送される（ステップＳ１４１５）。
【００８１】
そして、先に説明したのと同じ動作により、つなぎ記録するために入力されるビデオ信号を、ＭＰＥＧコーデック１０３でエンコードして、ストリームバッファ１０５へ蓄積する。さらにバッファ管理部１０４は、ストリームバッファ１０５に蓄積されたデータを読出して、ＥＣＣワークメモリ１０７内のＳ１４１３で保持したＥＣＣユニット内のトラックナンバー、シンクブロックナンバーの位置から続けて書き込む。つまり、ＥＣＣワークメモリ１０７内で、ＥＣＣユニットの編集点から新たなストリームデータを記録開始する（ステップＳ１４１６）。その後記録データは、エラー訂正部１０６でエラー訂正のための処理が行われ、変調／復調部１０９で変調された後、記録再生用ヘッド１１２により磁気テープ１１３上の記録済データに引き続いてつなぎ記録される。
【００８２】
このようにして、本実施形態では、検出した編集点の前後で符号化形式が異なる場合に、正しい順序でフィールドをつなぐので、フィールド項番エラー又はタイムスタンプ連続エラーもなく、つなぎ記録を行うことができる。すなわち、図４Ｄに示した例のように正常なつなぎ記録を行うことができる。
【００８３】
上記説明では、編集点の符号化形式が２４ｐか否かを調べたが、６０ｉ又は３０ｐか否かを調べても良い。この場合、フィールドパリティがボトムフィールドファーストであるか否かを判別する。
【００８４】
上記説明では、６０ｉ又は３０ｐでは、トップフィールドファーストであるフレームを先頭フレームとし、２４ｐでは、トップフィールドファーストでありかつ、リピートフィールド有りのフレームを先頭フレームとした。しかし、６０ｉ又は３０ｐでは、ボトムフィールドファーストであるフレームを先頭フレームとし、２４ｐでは、ボトムフィールドファーストであり、かつ、リピートフィールド有りのフレームを先頭フレームとしても良い。このように変更する場合には、図１４のＳ１４０３及びＳ１４０９を、ボトムフィールドファーストか否かを判別するように変更すれば良い。
【実施例３】
【００８５】
次に本発明の第３の実施形態について説明する。本実施形態となるビデオ信号記録装置の構成は、図１を用いて先述した内容と同様であるので繰り返しとなる説明は省略する。
【００８６】
続いて、本実施形態において、記録済みの磁気テープに、新たな記録データをつなぎ記録する動作について図１、図１５及び図１６を用いて説明する。なお図１５のフローチャート図は、コントローラ１１０が行う動作制御のシーケンスを図示したものである。
【００８７】
なお、図１５のフローチャート図は、図１４に示したフローチャート図を一部変更したものであり、図１４のステップＳ１４０５〜Ｓ１４１４の替わりに、ステップＳ１５０５、Ｓ１５０６を設けたものである。
【００８８】
また、図１６は本実施形態において、ストリーム不連続記録をする前後の磁気テープの記録例を示したものである。
【００８９】
図１５において、記録開始の指示があると、図１３のＳ１３０７で取得した編集点の符号化形式が２４ｐであるか否かを判別する（ステップＳ１５０１）。２４ｐであれば（Ｓ１５０１でＹＥＳ）、新たに記録するストリームデータの符号化形式が２４ｐであるか否かを判別する（ステップＳ１５０２）。なお、本実施形態では、２４ｐでなければ、６０ｉ又は３０ｐであるとする。
【００９０】
編集点の符号化形式が２４ｐではないか（Ｓ１５０１でＮＯ）、又は、新たに記録するストリームデータの符号化形式が２４ｐである場合（Ｓ１５０２でＹＥＳ）、Ｓ１３０６でキャプチャメモリ１０８に保持されたＥＣＣユニットデータがＥＣＣワークメモリ１０７に転送される（ステップＳ１５０７）。
【００９１】
次に、上述した記録動作と同様に、つなぎ記録するために入力されるビデオ信号を、ＭＰＥＧコーデック１０３でエンコードして、ストリームバッファ１０５へ蓄積する。さらにバッファ管理部１０４は、ストリームバッファ１０５に蓄積されたデータを読出して、ＥＣＣワークメモリ１０７内のＳ１３０６で保持したＥＣＣユニット内のトラックナンバー、シンクブロックナンバーの位置から続けて書き込む。つまり、ＥＣＣワークメモリ１０７内で、ＥＣＣユニットの編集点から新たなストリームデータを記録開始する（ステップＳ１５０８）。その後記録データは、エラー訂正部１０６でエラー訂正のための処理が行われ、変調／復調部１０９で変調された後、記録再生用ヘッド１１２により磁気テープ１１３上の記録済データに引き続いてつなぎ記録される。
【００９２】
また、新たに記録するストリームデータの符号化形式が２４ｐではない場合（Ｓ１５０２でＮＯ）、即ち、新たに記録する映像の符号化形式が編集点の符号化形式とは異なる６０ｉ又は３０ｐの場合、Ｓ１３０７で取得した編集点以降の表示順の先頭フレームのフィールドパリティから、トップフィールドファーストであるか否かを判別する（ステップＳ１５０３）。トップフィールドファーストであれば（Ｓ１５０３でＹＥＳ）、Ｓ１３０７で取得した付加情報から編集点以降の表示順の先頭フレームにリピートフィールドがあるか否かを判別する（ステップＳ１５０４）。リピートフィールドがある場合は（Ｓ１５０４でＹＥＳ）、先に説明したようにＳ１５０７及びＳ１５０８の処理を実行する。
【００９３】
トップフィールドファーストではない場合（Ｓ１５０３でＮＯ）、又は、トップフィールドファーストであり（Ｓ１５０３でＹＥＳ）且つ先頭フレームにリピートフィールドがない場合は（Ｓ１５０４でＮＯ）、Ｓ１５０５へ進む。
【００９４】
続いて、キャプチャメモリ１０８の記憶内容が破棄され（ステップＳ１５０５）、ストリーム不連続となる記録が開始される（ステップＳ１５０６）。すなわち、この状態となったときは、連続したストリームデータとするためのつなぎ記録を実行せず、ストリーム不連続となる記録を実行する。
【００９５】
ここで、図１及び図１６を用いて、ストリーム不連続記録を説明する。コントローラ１１０によって、ストリーム不連続となる記録の開始が指示されると、バッファ管理部１０４は、ＥＣＣユニット分の無効データをＥＣＣワークメモリ１０７に転送する。同時に、ＶＩＤＥＯ  ＩＮ／ＯＵＴ端子１０１及びＡＵＤＩＯ  ＩＮ／ＯＵＴ端子１０２からの信号をＭＰＥＧコーデック１０３により圧縮符号化し、ＭＰＥＧストリームをストリームバッファ１０５に蓄積し始める。ＥＣＣワークメモリ１０７にＥＣＣユニット分のデータが蓄積されると、エラー訂正部１０６は、ＥＣＣワークメモリ１０７からデータを読み出し、エラー訂正処理し、ＥＣＣワークメモリ１０７へ書き戻す。エラー訂正部１０６によってエラー訂正処理されたデータがＥＣＣワークメモリ１０７に蓄積されると、変調／復調部１０９は、ＥＣＣワークメモリ１０７からＮ個（例えば５個）のＥＣＣユニット分の無効データを読み出し、変調し、磁気テープ１１３に記録する。
【００９６】
ＥＣＣユニットＮ個分の無効データを転送及び記録し終わると、バッファ管理部１０４はストリームバッファ１０５に蓄積されたＭＰＥＧストリームを、ＥＣＣユニット分づつ順次ＥＣＣワークメモリ１０７に転送する。その後は先述した内容と同様に記録処理を行う。
【００９７】
このようにして、本実施形態では、編集点の前後で符号化形式が異なる場合に、無効データを挿入記録した後、新たなビデオ信号を続けて記録することができる。
【実施例４】
【００９８】
次に本発明の第４の実施形態について説明する。本実施形態となるビデオ信号記録装置の構成は、図１を用いて先述した内容と同様であるので繰り返しとなる説明は省略する。
【００９９】
続いて、本実施形態において、記録済みの磁気テープに、新たな記録データをつなぎ記録する動作について図１及び図１７を用いて説明する。なお図１７のフローチャート図は、コントローラ１１０が行う動作制御のシーケンスを図示したものである。
【０１００】
図１７を参照して、つなぎ記録に適した編集点の検出方法を説明する。図１７は、つな
ぎ記録に適した編集点の検出方法のフローチャートである。
【０１０１】
図１７において、編集点を探索するために、磁気テープ１１３の記録データを再生する（ステップＳ１７０１）。
【０１０２】
次に、コントローラ１１０はエラー訂正部１０６によってエラー訂正された後のデータをＥＣＣワークメモリ１０７から取得し、再生された記録の最小単位（ＥＣＣユニット）ごとに存在する付加情報を解析する（ステップＳ１７０２）。そして、ＥＣＣユニットの付加情報を解析した結果、編集点有りの場合はＳ１７０４へ進み、編集点無しの場合はＳ１７０２へ戻る（ステップＳ１７０３）。
【０１０３】
次に、新たに記録するストリームデータの符号化形式が２４ｐであるか否かを判別する（ステップＳ１７０４）。Ｓ１７０４では、新たに記録するストリームデータが２４ｐの場合はＳ１７０８へ進み、そうでない場合はＳ１７０５へ進む。なお、本実施形態では、２４ｐでなければ、６０ｉ又は３０ｐであるとする。
【０１０４】
次に、上記ＥＣＣユニットの付加情報を解析した結果、編集点のストリームデータが２４ｐの場合はＳ１７０６へ進み、そうでない場合はＳ１７０７へ進む（ステップＳ１７０５）。
【０１０５】
次に、上記ＥＣＣユニットの付加情報を解析した結果、編集点以降の表示順の先頭フレームのリピートフィールドの有無を示す情報がリピートフィールド有りとなっている場合はＳ１７０７へ進み、そうでない場合はＳ１７０２へ戻る（ステップＳ１７０６）。
【０１０６】
さらに、上記ＥＣＣユニットの付加情報を解析した結果、編集点以降の表示順の先頭フレームのフィールドパリティがトップフィールドファーストの場合はＳ１７０８へ進み、そうでない場合はＳ１７０２へ戻る（ステップＳ１７０７）。なお、再度Ｓ１７０２に戻った場合は、次に再生される記録の最小単位（ＥＣＣユニット）に対して同様のフローを繰り返すことになる。
【０１０７】
結局、新たに記録する映像の符号化形式が２４ｐである場合には（Ｓ１７０４でＹＥＳ）、最初に検出された編集点を採用する。新たに記録する映像の符号化形式が６０ｉ又は３０ｐであり（Ｓ１７０４でＮＯ）、且つ、記録済みの映像の符号化形式が２４ｐである場合には（Ｓ１７０５でＹＥＳ）、記録済みの映像の表示順の先頭フレームがリピートフィールドを有し（Ｓ１７０６でＹＥＳ）、且つトップフィールドファーストであるときに（Ｓ１７０７でＹＥＳ）、その編集点を採用する。Ｓ１７０６とＳ１７０７のいずれか一方でも条件を満たさなければ、別の編集点を検討する。
【０１０８】
また、新たに記録する映像の符号化形式が６０ｉ又は３０ｐであり（Ｓ１７０４でＮＯ）、且つ、記録済みの映像の符号化形式が６０ｉ又は３０ｐである場合には（Ｓ１７０５でＮＯ）、記録済みの映像の表示順の先頭フレームがトップフィールドファーストであるときに（Ｓ１７０７でＹＥＳ）、その編集点を採用する。トップフィールドファーストではないときは（Ｓ１７０７でＮＯ）、別の編集点を検討する。
【０１０９】
次に、再生動作を停止する（ステップＳ１７０８）。そして、磁気テープ１１３を動かして、上記編集点が含まれる記録の最小単位（ＥＣＣユニット）の再生スタート位置へ戻す（ステップＳ１７０９）。
【０１１０】
次に、再び再生動作を行い、上記編集点が含まれるＥＣＣユニット（１６トラック分のデータ）を再生して、そのデータをＥＣＣワークメモリ１０７からキャプチャメモリ１０８へ転送して、そこで保存する（ステップＳ１７１０）。そして、コントローラ１１０は、キャプチャメモリ１０８に保持したデータから、ＥＣＣユニットの付加情報を読み出し、ＥＣＣユニット内の編集点のトラックナンバー、シンクブロックナンバー、ＤＴＳ、ＰＴＳ、ＶＢＶバッファ量、表示順の先頭フレームのフィールドパリティ、表示順の先頭フレームの冗長なリピートフィールドの有無、及び、符号化形式に係るデータを取得する（ステップＳ１７１１）。
【０１１１】
なお、ここまでのステップは、記録済みの磁気テープを本記録装置へ装着した際、或いは電源ＯＮによる本記録装置のシステム起動時等、実際の記録開始指示がなされる以前に自動で行っても良い。
【０１１２】
次に、記録指示に応じて記録動作を開始する（ステップＳ１７１２）。次に、キャプチャメモリ１０８に保持したＥＣＣユニットデータを、ＥＣＣワークメモリ１０７へ転送する（ステップＳ１７１３）。
【０１１３】
次に、上述した記録動作と同様に、つなぎ記録するために入力されるビデオ信号を、ＭＰＥＧコーデック１０３でエンコードして、ストリームバッファ１０５へ蓄積する。さらにバッファ管理部１０４は、ストリームバッファ１０５に蓄積されたデータを読出して、ＥＣＣワークメモリ１０７内のＳ１７１０で保持したＥＣＣユニット内のトラックナンバー、シンクブロックナンバーの位置から続けて書き込む。つまり、ＥＣＣワークメモリ１０７内で、ＥＣＣユニットの編集点から新たなストリームデータを記録開始する（ステップＳ１７１４）。その後記録データは、エラー訂正部１０６でエラー訂正のための処理が行われ、変調／復調部１０９で変調された後、記録再生用ヘッド１１２により磁気テープ１１３上の記録済データに引き続いてつなぎ記録される。
【０１１４】
このようにして、図４Ｄに示した例のように正常なつなぎ記録を行うことができる。
【０１１５】
なお、上記説明では、編集点の符号化形式が２４ｐか否かを調べたが、６０ｉ又は３０ｐかどうかを調べても良い。この場合、フィールドパリティがボトムフィールドファーストであるか否かを判別する。
【０１１６】
このようにして、本実施形態では、つなぎ記録に適した編集点を検出することができ、検出した位置からつなぎ記録することができる。
【図面の簡単な説明】
【０１１７】
【図１】本発明の第１の実施形態におけるビデオ信号記録装置のブロック図である。
【図２】２４ｐのビデオ信号と６０ｉ又は３０ｐのビデオ信号を磁気テープ上に記録したときの様子を示す図である。
【図３】２−３プルダウンを説明する図である。
【図４】（Ａ），（Ｂ）は、フィールド項番エラーによってつなぎ記録が不可となる編集点の例、（Ｃ）は、タイムスタンプ連続性エラーによってつなぎ記録が不可となる編集点の例、（Ｄ）は、正常なつなぎ記録が可能となる編集点の例である。
【図５】（Ａ），（Ｂ）は、フィールド項番エラーについて説明する図である。
【図６】不正なデコード時間が発生する場合を説明する図である。
【図７】磁気テープ上の記録パターンを示す図である。
【図８】磁気テープ上に記録されるＥＣＣユニット（１６トラックのデータ）の構造を示す図である。
【図９】図８における各トラック内のデータの構成を示す図である。
【図１０】ビデオ信号記録装置で記録したときの例である。
【図１１】本発明の第１の実施形態におけるつなぎ記録動作を説明するフローチャートである。
【図１２】本発明の第１の実施形態における別のつなぎ記録動作を説明するフローチャートである。
【図１３】本発明の第２の実施形態における編集点探索の動作を説明するフローチャートである。
【図１４】本発明の第２の実施形態におけるつなぎ記録動作を説明するフローチャートである。
【図１５】本発明の第３の実施形態におけるつなぎ記録動作を説明するフローチャートである。
【図１６】本発明の第３の実施形態におけるストリーム不連続記録を説明する図である。
【図１７】本発明の第４の実施形態におけるつなぎ記録動作を説明するフローチャートである。
【符号の説明】
【０１１８】
１００  メモリ部
１０１  ＶＩＤＥＯ  ＩＮ／ＯＵＴ端子
１０２  ＡＵＤＩＯ  ＩＮ／ＯＵＴ端子
１０３  ＭＰＥＧコーデック（符号化・復号化回路）
１０４  バッファ管理部
１０５  ストリームバッファ
１０６  エラー訂正部
１０７  ＥＣＣワークメモリ
１０８  キャプチャメモリ
１０９  変調／復調部
１１０  コントローラ（制御部）
１１１  キャプスタンモータ
１１２  記録／再生用ヘッド
１１３  磁気テープ
【図１】
2007104644.tif 000003
【図２】
2007104644.tif 000004
【図３】
2007104644.tif 000005
【図４】
2007104644.tif 000006
【図５】
2007104644.tif 000007
【図６】
2007104644.tif 000008
【図７】
2007104644.tif 000009
【図８】
2007104644.tif 000010
【図９】
2007104644.tif 000011
【図１０】
2007104644.tif 000012
【図１１】
2007104644.tif 000013
【図１２】
2007104644.tif 000014
【図１３】
2007104644.tif 000015
【図１４】
2007104644.tif 000016
【図１５】
2007104644.tif 000017
【図１６】
2007104644.tif 000018
【図１７】
2007104644.tif 000019